(57)【要約】【課題】任意の方向に調和空気を効率よく送出可能な空気調節装置を提供することを目的とする。【解決手段】  キャビネット３に、吸込口４と、吹出口５と、吸込口４から吹出口５に至る送風路６と、送風路６内に配置された送風機２と、吹出口５の前面に配された導風パネル８と、吹出口５の上流側で送風路壁面１１に複数立設された左右風向板１３とを備えた空気調和機において、左右風向板１３は、羽根部１４と、羽根部１４を支持する支持部１５とを有し、羽根部１４を送風方向Ｂに対して平行な中立姿勢から送風方向Ｂに対して傾斜させることで風向変更可能とされ、羽根部１４は、左右風向板１３が中立姿勢をとったときに、吹出口５を閉鎖した場合の導風パネル８に接触する長さとする。【選択図】        図２
2014009826.tif 000002
【特許請求の範囲】
【請求項１】
キャビネットに、吸込口と、吹出口と、前記吸込口から前記吹出口に至る送風路と、前記送風路内に配置された送風機と、前記吹出口の前面に配された導風パネルと、前記吹出口の上流側で前記送風路壁面に複数立設された左右風向板とを備えた空気調和機において、前記左右風向板は、羽根部と、該羽根部を支持する支持部とを有し、前記羽根部を前記送風機の送風方向に対して平行な中立姿勢から送風方向に対して傾斜させることで吹出口から吹き出す風向を変更可能とされ、前記羽根部は、前記左右風向板が中立姿勢をとったときに、前記吹出口を閉鎖した場合の前記導風パネルに接触する長さとしたことを特徴とする空気調和機。
【請求項２】
前記吹出口を閉鎖する際に、前記羽根部が前記導風パネルに接触しない位置まで前記左右風向板を傾斜させるようにしたことを特徴とする請求項１に記載の空気調和機。
【請求項３】
前記羽根部は、長さ方向に折曲可能に形成され、前記吹出口を閉鎖する際に、前記羽根部を折曲させるようにしたことを特徴とする請求項１に記載の空気調和機。
【請求項４】
前記羽根部は、長さ方向に収縮可能に形成され、前記吹出口を閉鎖する際に、前記羽根部を収縮させるようにしたことを特徴とする請求項１に記載の空気調和機。
【発明の詳細な説明】
【技術分野】
【０００１】
本発明は、左右風向板を備えた空気調和機に関するものである。
【背景技術】
【０００２】
従来、空気調和機としては、たとえば、特許文献１に示すように、吸込口から吹出口に至る送風路を備え、吹出口の前面に複数の横ルーバが設置され、さらに、吹出口の上流側の送風路の壁面に複数の縦ルーバが設置され、吹出口から吹き出す風の方向を適宜変更可能としたものが知られている。
【先行技術文献】
【特許文献】
【０００３】
【特許文献１】特開２００７−２１８５６４号公報
【発明の概要】
【発明が解決しようとする課題】
【０００４】
しかしながら上記構成の空気調和機においては、吹出口から吹き出す風が、吹出口の上下左右に拡散しやすいため、特定の方向へ向けて調和空気を効率よく送出することは困難とされていた。
【０００５】
そこで、本発明においては、任意の方向に調和空気を効率よく送出可能な空気調節装置を提供することを目的とする。
【課題を解決するための手段】
【０００６】
上記問題点を解決するために、本発明では、キャビネットに、吸込口と、吹出口と、前記吸込口から前記吹出口に至る送風路と、前記送風路内に配置された送風機と、前記吹出口の前面に配された導風パネルと、前記吹出口の上流側で前記送風路壁面に複数立設された左右風向板とを備えた空気調和機において、前記左右風向板は、羽根部と、該羽根部を支持する支持部とを有し、前記羽根部を前記送風機の送風方向に対して平行な中立姿勢から送風方向に対して傾斜させることで吹出口から吹き出す風向を変更可能とされ、前記羽根部は、前記左右風向板が中立姿勢をとったときに、前記吹出口を閉鎖した場合の前記導風パネルに接触する長さとしたことを特徴とする。
【０００７】
すなわち、本発明では、吹出口を覆う複数の横ルーバの代りに、導風パネルを使用し、さらに、左右風向板（縦ルーバ）の羽根部の長さを、左右風向板が中立姿勢をとったときに吹出口を閉鎖した場合の導風パネルに接触する長さとしている。上記構成によれば、左右風向板の羽根部の長さを従来よりも長くすることで吹出口から吹き出した風が左右方向に拡散するのを抑制できる。また、導風パネルを、吹出口を覆う大きさにしてもよい。このようにすれば、吹出口から吹き出した風を上下に拡散するのを抑制することができる。
【０００８】
上記空気調和機は、吹出口を閉鎖する際に、前記羽根部が前記導風パネルに接触しない位置まで前記左右風向板を傾斜させるようにしてもよい。これにより、吹出口を導風パネルによって閉鎖することが可能となる。
【０００９】
また、左右風向板の羽根部を長さ方向に折曲可能に形成し、吹出口を閉鎖する際に、羽根部を折曲させるようにしてもよい。さらに、左右風向板の羽根部を長さ方向に収縮可能に形成し、前記吹出口を閉鎖する際に、前記羽根部を収縮させるようにしてもよい。
【発明の効果】
【００１０】
以上のように、本発明によれば、導風パネルを用い、さらに、導風パネルの上流側に配される左右風向板の羽根部の長さを、左右風向板が中立姿勢をとったときに吹出口を閉鎖した場合の導風パネルに接触する長さとしたため、吹出口から吹き出す風が上下左右方向に拡散するのを抑制し、任意の方向に効率よく送出することができる。
【図面の簡単な説明】
【００１１】
【図１】本発明の実施形態を示す空気調和機の室内機を示す斜視図
【図２】図１の室内機の断面図
【図３】図１の室内機の下開きした状態を示す断面図
【図４】図１の室内機の上開きした状態を示す断面図
【図５】中立姿勢の左右風向板の平面図
【図６】導風パネルに接触しない位置まで左右風向板を傾斜させた状態の平面図
【図７】第二の風向板の態様を示す側面図
【図８】第三の風向板の態様を示す横断面図
【発明を実施するための形態】
【００１２】
以下、図面に基づいて本発明の実施の形態を説明する。図１は、本発明に係る空気調和機の室内機の外観斜視図であり、図２は図１の空気調和機を前後方向に切断した断面図であり、図３は図１の空気調和機の導風パネルを下開きした状態を示す断面図であり、図４は図１の空気調和器の導風パネルを上開きした状態を示す断面図であり、図５は図２の左右風向板を平面視した図であり、図６は図３の左右風向板を傾斜させた状態を示す図である。
【００１３】
図２に示すように、室内機は、熱交換器１及び送風機２を備え、これらがキャビネット３に内装されている。キャビネット３の天面に吸込口４が形成され、キャビネット３の前面下部に吹出口５が形成される。キャビネット３の内部には、吸込口４から吹出口５に至る送風路６が形成され、この送風路６に、空気の流れの上流側から熱交換器１と送風機２とがこの順に配設される。本実施例では、送風機２は、クロスフローファンを備え、クロスフローファンが回転することにより、図５に示す送風方向Ｂ（左右方向Ａと直交する方向）に送風する。
【００１４】
吸込口４と熱交換器１との間にはフィルタ７が配され、吸込口４から吸い込んだ室内の空気から塵埃を除去する。吹出口５は左右方向Ａに長い形状とされ、吹出口５の前面には吹出口５を覆う大きさの導風パネル８が開閉可能に取り付けられる。導風パネル８は、吹出口５を閉鎖した状態で、キャビネット３の一部を構成する。
【００１５】
吹出口５を閉鎖した状態の導風パネル８の上端部と下端部とに、それぞれ左右方向Ａに平行な上軸９と下軸１０とが設定される。そして、導風パネル８は、上下の軸を中心にして、異なる方向に回動することにより、上下いずれかの方向に開放可能、すなわち、上下両開き可能とされる。具体的には、図３に示すように、吹出口５の下端部に導風パネル８の下端部を近接させた状態で下軸１０周りに導風パネル８の上端部側を回動させた下開き姿勢のとき、導風パネル８が吹出口の下壁１１とつながり、導風パネル８と吹出口５の上壁１２とによってロングノズルが形成される。
【００１６】
したがって、一枚のパネルでも下開き姿勢でロングノズルを形成するので、上方に向かう延長送風路を形成することができ、室内ユニットを室内の壁面の高い位置に設置した場合、パネルの下開き姿勢で吹出空気を天井に向かって吹出し、上下方向に吹出空気が拡散することなく遠方まで導くことができる。
【００１７】
また、図４に示すように、導風パネル８は、吹出口５の上端部に導風パネル８の上端部を近接させた状態で上軸９周りに導風パネル８の下端部側を回動させた上開き姿勢で、吹出口５の前方を遮蔽し、前方に向かって吹き出される吹出空気をロングパネルで押さえ込み、上下方向への拡散を抑制しつつ、下方に導くようにされ、室内の壁面や床面に吹出空気を導くことができる。これにより、吹出口５から上下方向の任意の方向に風を吹き出すことができる。
【００１８】
導風パネル８の上流側には、左右風向板（縦ルーバ）１３が設けられる。左右風向板１３により、左右方向Ａの風向きが変えられる。具体的に、左右風向板１３は、送風機２と吹出口５との間の送風路６において、吹出口５の下壁（リアガイダ）１１に取り付けられる。左右風向板１３は、羽根部１４と、羽根部１４を支持する支持部１５とを備え、下壁１１において左右方向Ａに間隔をおいて複数立設される。なお、本実施形態では、左右風向板１３は、まず細長い板状の基板１６上に取り付けられ、基板１６を下壁１１に組み込むことによって、左右風向板１３が下壁１１に取り付けられる。
【００１９】
左右風向板１３同士は連動杆１７によって連動して左右方向に揺動する。具体的には、羽根部１４の下端部に軸部１８が垂設される。連動杆１７は、左右風向板１３や基板１６とは別体として細長い扁平棒状に形成される。連動杆１７には、軸部１８の軸受部としての図示しない貫通孔が形成されており、軸部１８はこの貫通孔に係脱自在とされる。各左右風向板１３の軸部１８をそれぞれ貫通孔に係合させることによって、左右風向板１３同士は左右方向に連動して揺動する。左右風向板１３、基板１６及び連動杆１７及び図示しない連動杆１７の駆動モータによって風向変更装置が構成される。
【００２０】
支持部１５は回転軸として、下壁１１に対して回転可能に取り付けられる。これによって、左右風向板１３は、図５に示すように、羽根部１４が送風方向Ｂ（左右方向Ａと直交する方向）に対して平行な中立姿勢から、羽根部１４を支持部１５まわりに回動することにより、送風方向Ｂに対して左右方向に傾斜させ、吹出口から吹き出す風向を左右方向の任意の方向に変更することができる。このほかにも、支持部１５は、下壁１１に対して固定化することも可能である。この場合には、羽根部１４を左右方向Ａに折曲あるいは屈曲させればよい。
【００２１】
本実施形態では、図２に示すように、羽根部１４は、左右風向板１３が中立姿勢をとったときに、送風方向Ａの下流側端部が、吹出口５を閉鎖した場合の導風パネル８に接触する長さに形成される。図２、図５及び図６に、閉鎖状態の導風パネル８に中立姿勢の左右風向板１３が接触する境界線をＬで示す。このように、羽根部１４が長い左右風向板１３を使用することによって、吹出口から吹き出した風が左右方向に拡散するのを抑制することが可能となる。よって、任意の方向に調和空気を指向性よく遠方まで効率よく送出可能となる。なお、左右風向板の羽根部の長さを長くしても、上述のごとく、導風パネルを上開き又は下開きすることで、導風パネルと左右風向板とが接触するのを回避して、任意の方向に風向変更を行うことができる。
【００２２】
具体的に、上記構成の空気調和機において、姿勢又は上開き姿勢の導風パネル８を閉鎖するには、図６に示すように、左右風向板９を、羽根部１４が導風パネル８との接触境界線Ｌを越えないように傾斜させる。これにより、導風パネル８は左右風向板９に接触することなく、吹出口５を閉鎖することができる。
【００２３】
また、閉鎖した吹出口５を開く際は、まず導風パネル８を上開き又は下開きさせ、左右風向板９を回動させても導風パネル８に羽根部１４が接触しない状態になってから、左右風向板９を移動させるとよい。
以上のように、導風パネルと左右風向板とが接触しないように導風パネルや左右風向板を駆動するようにする必要がある。上記以外にも、導風パネルと左右風向板とが接触しないのであれば、導風パネルと左右風向板とを同時に駆動させてもよいし、導風パネルよりも先に左右風向版を先に駆動させてもよい。
【００２４】
また、導風パネル８を閉鎖する別の態様（第２の実施例）として、図７に示すように、左右風向板９を羽根部１４の長さ方向に折曲可能に形成することも可能である。具体的に、本態様の左右風向板９は、羽根部１４が先端側の第一羽根部１４ａと、支持部１５に接続される基端側の第二羽根部１４ｂとから構成される。第一羽根部１４ａの後端部は、凸状に形成され、一方、第二羽根部１４ｂの先端側は凹状に形成される。なお、第二羽根部１４ｂは、導風パネル８との接触境界線Ｌを越えないように形成される。
【００２５】
第一羽根部１４ａは、後端部を第二羽根部１４ｂの先端部に嵌め入れた状態で、回転軸１９によって第二羽根部１４ｂに回転可能に取り付けられる。第二羽根部１４ｂは中空構造を有し、第二羽根部１４ｂ内に弾性体２０が収容される。弾性体２０は、第一羽根部１４ａの後端と支持部１５との間に張架され、引張ばねとして作用する。
【００２６】
これにより、第一羽根部１４ａを左右方向に押すことで羽根部１４が容易に折曲され、外力を取り除くことで羽根部１４を速やかにまっすぐな状態に復帰させることができる。第一羽根部１４ａを左右方向に押す機構としては特に限定されず、たとえば、棒状部材を下壁１１から起立させ、これを左右方向Ａに移動させて第一羽根部１４ａを押すようにして予め左右風向板１３の羽根部１４が導風パネル８に接触しないようにしておいてもよいし、導風パネル８を利用することも可能である。
【００２７】
導風パネル８を利用する場合、左右風向板９は中立姿勢から左右方向にやや傾斜した姿勢（第一羽根部１４ａが接触境界線Ｌを越えた姿勢）とする。その状態で、導風パネル８に閉鎖姿勢へ復帰する動作を実行させると、その途中で導風パネル８は第一羽根部１４ａの左右いずれかの面に接触し、第一羽根部１４ａを反対側の面に向かって押すことで羽根部１４を容易に折曲させることができ、左右風向板１３の羽根部１４が導風パネル８の閉鎖を阻害しないようにすることができる。
【００２８】
導風パネル８を閉鎖するさらに別の態様として、図８に示すように、左右風向板１３を羽根部１４の長さ方向に収縮可能に形成することも可能である。具体的に、本態様の左右風向板１３は、羽根部１４が先端側の第一羽根部１４ａと、支持部１５に接続される基端側の第二羽根部１４ｂとから構成される。なお、第二羽根部１４ｂは、導風パネル８との接触境界線Ｌを越えないように形成される。
【００２９】
第二羽根部１４ｂは中空構造を有しており、先端側には開口２１が形成される。第一羽根部１４ａは、第二羽根部１４ｂ内に収容され、開口２１から外部へ進退可能に設けられる。なお、第一羽根部１４ａの後端は、左右方向に拡径され、一方、第二羽根部１４ｂの開口２１は、左右方向に縮径されており、これにより、第一羽根部１４ａが第二羽根部１４ｂから抜け落ちるのを防止している。第二羽根部１４ｂ内において、第一羽根部１４ａの後側には、弾性体２２が配されており、圧縮ばねとして作用する。すなわち、弾性体２２は、第一羽根部１４ａを常時開口２１側に付勢する。
【００３０】
上記左右風向板１３は、第一羽根部１４ａを第二羽根部１４ｂ側に押し込むことで容易に羽根部１４を収縮することができ、外力を取り除くことで羽根部１４をもとの伸びた状態に復帰させることができる。第一羽根部１４ａを左右方向に押す機構としては特に限定されず、たとえば、板状部材を下壁１１から回動起立させ、第一羽根部１４ａを押すようにしてもよいし、導風パネル８を利用することも可能である。
【００３１】
導風パネル８を利用する場合、左右風向板９は中立姿勢とする。その状態で、導風パネル８に閉鎖姿勢へ復帰する動作を実行させると、その途中で導風パネル８は第一羽根部１４ａの先端に接触し、第一羽根部１４ａを第二羽根部１４ｂに向かって押すことで羽根部１４を容易に収縮させることができ、左右風向板１３の羽根部１４が導風パネル８の閉鎖を阻害しないようにすることができる。
以上、いくつかの実施例を記載したが、いずれの場合も、導風パネル８を閉鎖する場合は、先に羽根部１４を導風パネル８の閉鎖を阻害しないように位置させてから、導風パネル８を閉じるようにすることが好ましい。
【００３２】
以上、本発明の実施形態につき説明したが、本発明の範囲はこれに限定されるものではなく、発明の主旨を逸脱しない範囲で種々の変更を加えて実施することができる。
例えば、本実施形態では、導風パネルが吹出口を覆う形状の場合について説明したが、これに限らず、導風パネルによって吹出口を閉鎖した状態で、吹出口内に導風パネルが入る形状とする場合にも適用できる。
【００３３】
また、本実施形態では、１枚の導風パネルで説明したが、複数枚の導風パネルを有する場合にも適用できる。例えば、上側導風パネルと下側導風パネルが吹出口に設けられ、上側導風パネルは上端側に設けられた軸を中心に回動し、下側導風パネルは下端側に設けられた軸を中心に回動する構成、すなわち、上側導風パネル及び下側導風パネルが観音開きする構成でもよい。
またあるいは、１枚の導風パネルと吹出口内に設けられる補助ルーバとから成る構成であっても良い。
またあるいは、駆動アームの先端に導風パネルが設けられ、駆動アームの先端に設けられた軸を中心として導風パネルが回動可能とした構成であっても良い。
【符号の説明】
【００３４】
１    熱交換器
２    送風機
３    キャビネット
４    吸込口
５    吹出口
６    送風路
７    フィルタ
８    導風パネル
９    上軸
１０    下軸
１１    下壁
１２    上壁
１３    左右風向板
１４    羽根部
１５    支持部
１６    基板
１７    連動杆
１８    軸部
１９    回転軸
２０    弾性体
２１    開口
２２    弾性体
【図１】
2014009826.tif 000003
【図２】
2014009826.tif 000004
【図３】
2014009826.tif 000005
【図４】
2014009826.tif 000006
【図５】
2014009826.tif 000007
【図６】
2014009826.tif 000008
【図７】
2014009826.tif 000009
【図８】
2014009826.tif 000010